(57)【要約】【課題】  縦型射出成形金型装置において、型開き動作中にランナーが落下することを抑制する装置を提供することを目的とする。【解決手段】  可動側型板を有する可動側金型と、固定側取付板とランナーを有するランナープレートと固定側型板とからなる固定側金型とから構成され、固定側取付板にランナーを支持するランナーロックピンを有し、型開きの際に、可動側型板と固定側型板との間および固定側型板とランナープレートとの間が開くことで成形品とランナーとを分離して回収可能である縦型射出成形金型装置であって、型開きの順序として、ランナープレートと固定側型板が離れ、その後固定側型板と可動側型板が離れ、その後固定側取付板とランナープレートが離れるように構成した。【選択図】図１
2017193067.tif 000002
【特許請求の範囲】
【請求項１】
可動側型板を有する可動側金型と、固定側取付板とランナーを有するランナープレートと固定側型板とからなる固定側金型とから構成され、前記固定側取付板に前記ランナーを支持するランナーロックピンを有し、型開きの際に、前記可動側型板と前記固定側型板との間および前記固定側型板と前記ランナープレートとの間が開くことで成形品とランナーとを分離して回収可能である縦型射出成形金型装置であって、
前記型開きの順序として、前記ランナープレートと前記固定側型板が離れ、その後前記固定側型板と前記可動側型板が離れ、その後前記固定側取付板と前記ランナープレートが離れるように構成されたことを特徴とする縦型射出成形金型装置。
【請求項２】
可動側型板を有する可動側金型と、固定側取付板とランナーを有するランナープレートと固定側型板とからなる固定側金型とから構成され、前記固定側取付板にランナーを支持するランナーロックピンを有し、型開きの際に、前記可動側型板と前記固定側型板との間および前記固定側型板と前記ランナープレートとの間が開くことで成形品とランナーとを分離して回収可能である縦型射出成形金型装置であって、
前記可動側金型が前記固定側金型に対して変位可能となっており、
前記ランナープレートと前記固定側取付板との型開き量を制限する第１の部材と、
前記固定側型板と前記ランナープレートとの型開き量を制限する第２の部材が設けられており、
前記ランナープレートと前記可動側型板に移動可能に保持されたロッドと、
前記ロッドに取り付けられている摩擦部材と
を備えたことを特徴とする縦型射出成形金型装置。
【請求項３】
請求項２に記載の縦型射出成形金型装置であって、
前記可動側金型の変位によって、前記ランナープレートと前記固定側型板が離れ、
前記第２の部材により制限された前記固定側型板と前記ランナープレートとの型開き量を超えると前記固定側型板と前記可動側型板が離れ、
さらに、前記可動側金型の変位によって、前記ロッドに取り付けられている前記摩擦部材の摩擦抵抗により前記固定側取付板と前記ランナープレートが離れ、前記ランナーロックピンから前記ランナーが外れるように構成されたことを特徴とする縦型射出成形金型装置。
【請求項４】
請求項２に記載の縦型射出成形金型装置であって、
前記ロッドは、前記ランナープレートに備えられた第１のロッド保持駒と、前記可動側型板に備えられた第２のロッド保持駒によって、移動可能に保持されていることを特徴とする縦型射出成形金型装置。
【請求項５】
請求項４に記載の縦型射出成形金型装置であって、
前記可動側金型の変位によって、前記摩擦部材と前記第２のロッド保持駒との摩擦抵抗により前記ランナープレートが引っ張られ前記固定側取付板と前記ランナープレートが離れるように構成されたことを特徴とする縦型射出成形金型装置。
【請求項６】
請求項５記載の縦型射出成形金型装置であって、
前記可動側金型の変位によって、前記第１の部材により制限された前記ランナープレートと前記固定側取付板との型開き量を超えると前記摩擦部材は前記第２のロッド保持駒を抜け、前記固定側型板と前記可動側型板が離れ、パーティングライン面が開いて成形品が取り出せる状態となることを特徴とする縦型射出成形金型装置。
【発明の詳細な説明】
【技術分野】
【０００１】
本発明は、縦型射出成形金型装置に関する。
【背景技術】
【０００２】
本技術分野における背景技術として、特開平８−１９７５８４号公報（特許文献１）がある。特許文献１には、横型のカセット式射出成形金型装置において、金型が有する型開きストロークを全て開くように設定して運転した場合、成形機の可動部材の移動ストロークのばらつきによって余分に開いてしまったときに、その余分の型開きストロークを吸収できなくて金型を破損してしまう恐れがあるという課題に対して、型開き状態にある金型の型開きストロークを制御することを目的としている。そして、その目的を達成するために、固定側金型と可動側金型とによって構成されており、上記両金型には１組以上のカセット金型が各々装着してあり、カセット金型は異なる成形品を成形するごとに異なるキャビティ部を有するものに交換可能であり、固定側金型は固定側取付板とランナーストリッパープレートと固定側ベースプレートとから構成され、ランナーストリッパープレートは固定側取付板に対して所定のストロークだけ接離自在であり、固定側ベースプレートはランナーストリッパープレートに対して所定のストロークだけ接離自在であるカセット式射出成形金型装置において、ランナーストリッパープレートは付勢手段によって固定側取付板に向けて付勢されている構成が開示されている。
【先行技術文献】
【特許文献】
【０００３】
【特許文献１】特開平８−１９７５８４号公報
【発明の概要】
【発明が解決しようとする課題】
【０００４】
特許文献１は、横型の射出成形金型装置を開示しているが、設置面積を考慮すると縦型が有利である。また、固定型をチェンジするような場合や、インサート成形をする場合、横型であると複雑に入り組んだ箇所に成形品を挿入しづらい半面、縦型では載置するだけでよく、挿入時間を稼げるというメリットもある。
【０００５】
このような、縦型の射出成形金型装置において、成形品とランナーとを分離して回収可能な３枚型方式の金型で成形する場合、ある程度の荷重がかかるとロックが解除される機構を固定側型板、可動側型板に設け、固定側型板、可動側型板がその機構で閉じている力を利用しランナープレートを可動させ、ランナーロックを外し、型開き動作を行なう。しかし、そのままだと型開き中にランナーが自重で落下してしまうので、ランナーに突起を設け、樹脂の収縮による食いつきでランナーが落下するのを防止している。しかし、樹脂の収縮による食いつきのみで保持している為、型開き動作中にランナーが落下する可能性があるという問題があった。
【０００６】
よって、本発明は、縦型射出成形金型装置において、型開き動作中にランナーが落下することを抑制する装置を提供することを目的とする。
【課題を解決するための手段】
【０００７】
上記課題を解決するために、本発明は、その一例を挙げるならば、可動側型板を有する可動側金型と、固定側取付板とランナーを有するランナープレートと固定側型板とからなる固定側金型とから構成され、固定側取付板にランナーを支持するランナーロックピンを有し、型開きの際に、可動側型板と固定側型板との間および固定側型板とランナープレートとの間が開くことで成形品とランナーとを分離して回収可能である縦型射出成形金型装置であって、型開きの順序として、ランナープレートと固定側型板が離れ、その後固定側型板と可動側型板が離れ、その後固定側取付板とランナープレートが離れるように構成した。
【発明の効果】
【０００８】
本発明によれば、縦型射出成形金型装置において、型開き途中でランナーが落下しない金型を提供することができる。
【図面の簡単な説明】
【０００９】
【図１】実施例における縦型射出成形金型装置の構造断面図である。
【図２】実施例における縦型射出成形金型装置の型開き途中の状態断面図である。
【図３】実施例における縦型射出成形金型装置の型開き順序の説明図である。
【図４】従来の縦型射出成形金型装置の構造断面図とその型開き順序の説明図である。
【発明を実施するための形態】
【００１０】
本発明の実施例について図面を用いて説明する。
【実施例】
【００１１】
まず、従来の縦型射出成形金型装置について説明する。
【００１２】
図４は、従来の縦型射出成形金型装置の構造断面図とその型開き順序の説明図である。図４（Ａ）、（Ｂ）、（Ｃ）は型開きの順序を説明した図であり、図４（Ａ）において、固定側金型（上型）と可動側金型（下型）とからなる金型装置において、図の中央を中心として回転し下型が図中の左右で入替るように構成されている。３枚型方式の金型装置は、固定側金型（上型）と可動側金型（下型）とからなる金型装置において、固定側金型が固定側取付板１とランナーを有するランナープレート３と固定側型板２とから構成されており、成形品載置部である可動側金型の可動側型板４と固定側型板２との間（パーティングライン面）およびランナー１６の落下部である固定側型板２とランナープレート３との間が所定のストロークだけ接離自在で成形品とランナー１６とを分離して回収可能であり、型開きの際にランナー１６を取り外せるような構成が採られている。
【００１３】
図４（Ａ）は、型開きが開始して可動側金型（下型）が離れ出し、固定側型板２とランナープレート３との間が、図中の矢印（１）のように最初に開いた状態を示している。すなわち、固定側型板２、可動側型板４には、ある程度の荷重がかかるとロックが解除される機構が設けられており、固定側型板２、可動側型板４がその機構で閉じている力を利用しランナープレート３を可動させる。ランナー１６はランナーロックピン１９によって固定側取付板１に引きつけられているのでランナー１６は落下することはない。
【００１４】
図４（Ｂ）は、さらに型開きが進み、ランナープレート３が引っ張られて、図中の矢印（２）のように固定側取付板１とランナープレート３が離れ、ランナーロックピン１９とランナー１６の結合部が強制的に分離した状態を示している。しかし、そのままだと型開き中にランナー１６が自重で落下してしまうので、ランナー１６に突起を設け、樹脂の収縮による食いつきでランナーが落下するのを防止している。
【００１５】
図４（Ｃ）は、さらに型開きが進み、固定側型板２と可動側型板４のロックが解除され、図中の矢印（３）のように固定側型板２と可動側型板４が離れて、パーティングライン面が開いて成形品が取り出せる状態となる。
【００１６】
ここで、従来は、図４（Ｂ）において、ランナー１６は、樹脂の収縮による食いつきのみで保持している為、型開き動作中にランナーが落下する可能性があるという問題があった。
【００１７】
そこで、これを解決するために、縦型射出成形金型装置において型開き動作中にランナーが落下することを抑制する装置について、以下本実施例を説明する。
【００１８】
図１は本実施例における縦型射出成形金型装置の構造断面図である。図１において、１は固定側取付板であり固定側金型（上型）を射出成形機に取り付ける為の部品である。２は固定側型板であり成形品を成形する部品キャビ９を保持している。３のランナープレートは固定側取付板１と固定側型板２の間に位置する部品である。
【００１９】
４は可動側型板で成形品を成形する部品コア１０を保持している。５はスペーサブロックであり成形部１１で成形された成形品を可動金型より離型させる為のエジェクタストローク１７を確保する為の部品である。６は可動側取付板であり可動側金型（下型）を射出成形機に取り付ける為の部品である。７はエジェクタプレート上、８はエジェクタプレート下であり成形部１１で成形された成形品を突き出す為のエジェクタピン１８のツバ部を挟み込み保持する為の部品である。
【００２０】
１２はロケートリングであり成形機と金型の位置決め部品である。１３はスプルーブシュであり成形機のノズルより射出注入された高温の溶融樹脂を金型内へ導く部品である。１４はスプルーブシュ１３に溶融樹脂を流し込むことで形成される一次スプルー部である。１５は二次スプルー部である。１６は一次スプルー部１４から二次スプルー部１５へ樹脂を流す為のランナーである。１８はランナーロックピンであり先端部にはアンダーカット形状が設定されていて、ゲートランナーを強制的に抜くものである。型開き動作によりランナープレート３と固定側取付板１との型開き量を制限するストローク制限のためのストップボルト２０を、ランナー１６を排出するスペースを確保するために固定側型板２とランナープレート３との型開き量を制限するストローク制限にプラーボルト２１を用いる。
【００２１】
２２はロッドであり、ランナープレート３に備えられたロッド保持駒１（２４）と、可動側型板４に備えられたロッド保持駒２（２５）によって、移動可能に保持されている。２３は摩擦部材であり、例えば樹脂等を変形させて摩擦力を調整し、ロッド２２に取り付けられている。
【００２２】
図２は本実施例における縦型射出成形金型装置の型開き途中の状態断面図である。図２に示すように、金型内に充填した溶融樹脂が硬化後行う型開きの順序は、図中の矢印（１）（２）（３）の順番で行う。以下、その詳細について、説明する。
【００２３】
図３に、本実施例における縦型射出成形金型装置の型開き順序の説明図を示す。図３において、図３（Ａ）に示すように、まず最初にランナープレート３と固定側型板２が離れる（矢印（１））。プラーボルト２１により離れる量は決まっており、その量が開いた後は、図３（Ｂ）に示すように、固定側型板２と可動側型板４が離れる（矢印（２））。そして、固定側型板２と可動側型板４が離れる途中で摩擦部材２３がロッド保持駒２（２５）に差し掛かると、図３（Ｃ）に示すように、摩擦部材２３とロッド保持駒２（２５）の摩擦抵抗によりランナープレート３が下側に引っ張られ固定側取付板１とランナープレート３が離れ（矢印（３））、ランナーロックピン１９からランナー１６が外れる。また、ストップボルト２０によりランナープレート３と固定側取付板１の離れる量は決まっており、その量が開いた後は、摩擦部材２３はロッド保持駒２（２５）を抜け、固定側型板２と可動側型板４が十分に離れ、パーティングライン面が開いて成形品が取り出せる状態となる。
【００２４】
ランナーロックピン１９からランナー１６が外れる時は、型開き動作はほぼ完了しており、またランナー排出用の取出機が入るスペースも確保されているため、ランナーを落下させずに排出することができる。
【００２５】
このように、本実施例は、型開きの順序を変えランナーロックを外すタイミングを遅らせ、ほぼ型開き完了間際にランナープレートを可動させランナーロックを外すことが可能な構造とした。これにより、縦型射出成形金型装置において、型開き途中でランナーが落下しない金型を提供することができる。
【００２６】
以上のように、本実施例は、可動側型板を有する可動側金型と、固定側取付板とランナーを有するランナープレートと固定側型板とからなる固定側金型とから構成され、固定側取付板にランナーを支持するランナーロックピンを有し、型開きの際に、可動側型板と固定側型板との間および固定側型板とランナープレートとの間が開くことで成形品とランナーとを分離して回収可能である縦型射出成形金型装置であって、型開きの順序として、ランナープレートと固定側型板が離れ、その後固定側型板と可動側型板が離れ、その後固定側取付板とランナープレートが離れるように構成した。
【００２７】
また、可動側型板を有する可動側金型と、固定側取付板とランナーを有するランナープレートと固定側型板とからなる固定側金型とから構成され、固定側取付板にランナーを支持するランナーロックピンを有し、型開きの際に、可動側型板と固定側型板との間および固定側型板とランナープレートとの間が開くことで成形品とランナーとを分離して回収可能である縦型射出成形金型装置であって、可動側金型が固定側金型に対して変位可能となっており、ランナープレートと固定側取付板との型開き量を制限する第１の部材と、固定側型板とランナープレートとの型開き量を制限する第２の部材が設けられており、ランナープレートと可動側型板に移動可能に保持されたロッドと、ロッドに取り付けられている摩擦部材とを備えた構成とした。
【００２８】
これにより、ランナープレートを引っ張るための構造を可動構造とし、型開きの順序を変え、ランナーロックを外すタイミングを遅らせ、ほぼ型開き完了間際にランナーロックを外すことが可能な構造として、縦型射出成形金型装置において、型開き途中でランナーが落下しない金型を提供することができる。
【００２９】
以上実施例について説明したが、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。
【符号の説明】
【００３０】
１：固定側取付板、２：固定側型板、３：ランナープレート、４：可動側型板、５：スペーサブロック、６：可動側取付板、７：エジェクタプレート上、８：エジェクタプレート下、９：部品キャビ、１０：部品コア、１１：成形部、１２：ロケートリング、１３：スプルーブシュ、１４：一次スプルー部、１５：二次スプルー部、１６：ランナー、１７：エジェクタストローク、１８・・エジェクタピン、１９：ランナーロックピン、２０：ストップボルト、２１：プラーボルト、２２：ロッド、２３：摩擦部材、２４：ロッド保持駒１、２５：ロッド保持駒２
【図１】
2017193067.tif 000003
【図２】
2017193067.tif 000004
【図３】
2017193067.tif 000005
【図４】
2017193067.tif 000006